(57)【特許請求の範囲】
【請求項１】
充電デバイスのための自己ループ検出方法であって、
前記充電デバイスは、インバウンド充電インターフェースと、アウトバウンド充電インターフェースとを備え、前記インバウンド充電インターフェースは、電力ケーブルと、グランドケーブルと、正信号ケーブルDiと、負信号ケーブルDiと、を備え、前記アウトバウンド充電インターフェースは、電力ケーブルと、グランドケーブルと、正信号ケーブルDoと、負信号ケーブルDoと、を備え、前記正信号ケーブルDoと前記負信号ケーブルDoの間にスイッチが配置され、前記インバウンド充電インターフェースは、インバウンド充電ステートにあり、前記アウトバウンド充電インターフェースは、アウトバウンド充電ステートにあり、前記自己ループ検出方法は、
前記スイッチを使用することにより、前記正信号ケーブルDo及び前記負信号ケーブルDoを接続ステートから切断ステートに切り替えるステップと、
前記正信号ケーブルDi及び前記負信号ケーブルDiが接続ステートから切断ステートに切り替わったかどうかを検出するステップと、前記正信号ケーブルDi及び前記負信号ケーブルDiが接続ステートから切断ステートに切り替わっているならば、前記充電デバイス内に、前記インバウンド充電インターフェースが前記アウトバウンド充電インターフェースに接続された自己ループが存在すると判定するステップと、
を具備することを特徴とする充電デバイスのための自己ループ検出方法。
【請求項２】
前記充電デバイス内に、前記インバウンド充電インターフェースが前記アウトバウンド充電インターフェースに接続された自己ループが存在すると判定する前記ステップの後に、前記自己ループ検出方法は、
前記アウトバウンド充電インターフェースをアウトバウンド充電停止ステートに入るように制御するステップ、又は
前記インバウンド充電インターフェースをインバウンド充電停止ステートに入るように制御するステップ、又は
前記インバウンド充電インターフェースに流れる電流値が、前記充電デバイス内に前記自己ループが存在するときに存在する最大電流値よりも小さくなるように、前記電流値を制御するステップ、
をさらに具備することを特徴とする請求項１に記載の自己ループ検出方法。
【請求項３】
前記充電デバイス内に、前記インバウンド充電インターフェースが前記アウトバウンド充電インターフェースに接続された自己ループが存在すると判定する前記ステップの後に、前記自己ループ検出方法は、
プロンプトメッセージを出力するステップであって、前記プロンプトメッセージは、前記充電デバイス内に前記自己ループが存在することをユーザにリマインドするために使用される、ステップ
をさらに具備することを特徴とする請求項１に記載の自己ループ検出方法。
【請求項４】
プロンプトメッセージを出力する前記ステップの後に、前記自己ループ検出方法は、
前記充電デバイスの前記自己ループが取り除かれたかどうかを判定するステップと、
前記充電デバイスの前記自己ループが取り除かれていなければ、前記アウトバウンド充電インターフェースをアウトバウンド充電停止ステートに入るように制御するステップ、又は
前記充電デバイスの前記自己ループが取り除かれていなければ、前記インバウンド充電インターフェースをインバウンド充電停止ステートに入るように制御するステップ、又は  前記充電デバイスの前記自己ループが取り除かれていなければ、前記インバウンド充電インターフェースに流れる電流値が、前記充電デバイス内に前記自己ループが存在するときに存在する最大電流値よりも小さくなるように、前記電流値を制御するステップ、
をさらに具備することを特徴とする請求項３に記載の自己ループ検出方法。
【請求項５】
前記充電デバイスの前記自己ループが取り除かれたかどうかを判定する前記ステップは、
接続ケーブルが前記アウトバウンド充電インターフェースから取り外されたかどうかを検出するステップ、及び／又は接続ケーブルが前記インバウンド充電インターフェースから取り外されたかどうかを検出するステップと、
前記接続ケーブルが取り外されたならば、前記充電デバイスの前記自己ループが取り除かれたと判定するステップと、
を具備することを特徴とする請求項４に記載の自己ループ検出方法。
【請求項６】
充電デバイスのための自己ループ検出装置であって、前記充電デバイスは、インバウンド充電インターフェースと、アウトバウンド充電インターフェースとを備え、前記インバウンド充電インターフェースは、電力ケーブルと、グランドケーブルと、正信号ケーブルDiと、負信号ケーブルDiと、を備え、前記アウトバウンド充電インターフェースは、電力ケーブルと、グランドケーブルと、正信号ケーブルDoと、負信号ケーブルDoと、を備え、前記正信号ケーブルDoと前記負信号ケーブルDoの間にスイッチが配置され、前記インバウンド充電インターフェースは、インバウンド充電ステートにあり、前記アウトバウンド充電インターフェースは、アウトバウンド充電ステートにあり、前記自己ループ検出装置は、
前記スイッチを使用することにより、前記正信号ケーブルDo及び前記負信号ケーブルDoを接続ステートから切断ステートに切り替えるように構成された切り替えユニットと、
前記正信号ケーブルDi及び前記負信号ケーブルDiが接続ステートから切断ステートに切り替わったかどうかを検出するように構成された検出ユニットと、
前記検出ユニットが、前記正信号ケーブルDi及び前記負信号ケーブルDiが前記接続ステートから前記切断ステートに切り替わったことを検出した場合、前記充電デバイス内に、前記インバウンド充電インターフェースが前記アウトバウンド充電インターフェースに接続された自己ループが存在すると判定するように構成された判定ユニットと、
を具備することを特徴とする充電デバイスのための自己ループ検出装置。
【請求項７】
前記自己ループ検出装置は、
前記アウトバウンド充電インターフェースをアウトバウンド充電停止ステートに入るように制御するか、又は
前記インバウンド充電インターフェースをインバウンド充電停止ステートに入るように制御するか、又は
前記インバウンド充電インターフェースに流れる電流値が、前記充電デバイス内に前記自己ループが存在するときに存在する最大電流値よりも小さくなるように、前記電流値を制御する、
ように構成された制御ユニットをさらに具備することを特徴とする請求項６に記載の自己ループ検出装置。
【請求項８】
前記自己ループ検出装置は、
プロンプトメッセージを出力するように構成された出力ユニットであって、前記プロンプトメッセージは、前記充電デバイス内に前記自己ループが存在することをユーザにリマインドするために使用される、前記出力ユニット
をさらに具備することを特徴とする請求項６に記載の自己ループ検出装置。
【請求項９】
前記判定ユニットは、前記充電デバイスの前記自己ループが取り除かれたかどうかを判定するようにさらに構成され、
前記制御ユニットは、前記判定ユニットが、前記充電デバイスの前記自己ループが取り除かれていないと判定した場合、前記アウトバウンド充電インターフェースをアウトバウンド充電停止ステートに入るように制御するか、又は前記インバウンド充電インターフェースをインバウンド充電停止ステートに入るように制御するか、又は前記インバウンド充電インターフェースに流れる電流値が、前記充電デバイス内に前記自己ループが存在するときに存在する最大電流値よりも小さくなるように、前記電流値を制御する、ようにさらに構成されている
ことを特徴とする請求項７に記載の自己ループ検出装置。
【請求項１０】
前記検出ユニットは、接続ケーブルが前記アウトバウンド充電インターフェースから取り外されたかどうかを検出する、及び／又は接続ケーブルが前記インバウンド充電インターフェースから取り外されたかどうかを検出する、ようにさらに構成され、
前記判定ユニットは、前記検出ユニットが、接続ケーブルが前記アウトバウンド充電インターフェースから取り外されたこと、及び／又は接続ケーブルが前記インバウンド充電インターフェースから取り外されたことを検出した場合、前記充電デバイスの前記自己ループが取り除かれたと判定するようにさらに構成されている、
ことを特徴とする請求項９に記載の自己ループ検出装置。
【請求項１１】
充電デバイスのための自己ループ検出装置であって、前記充電デバイスは、インバウンド充電インターフェースと、アウトバウンド充電インターフェースとを備え、前記インバウンド充電インターフェースは、電力ケーブルと、グランドケーブルと、正信号ケーブルDiと、負信号ケーブルDiと、を備え、前記アウトバウンド充電インターフェースは、電力ケーブルと、グランドケーブルと、正信号ケーブルDoと、負信号ケーブルDoと、を備え、前記正信号ケーブルDoと前記負信号ケーブルDoの間にスイッチが配置され、前記インバウンド充電インターフェースは、インバウンド充電ステートにあり、前記アウトバウンド充電インターフェースは、アウトバウンド充電ステートにあり、前記自己ループ検出装置は、メモリとプロセッサとを具備し、
前記メモリはコードのセットを格納するように構成され、前記コードは、以下の動作：
前記スイッチを使用することにより、前記正信号ケーブルDo及び前記負信号ケーブルDoを接続ステートから切断ステートに切り替えるステップと、
前記正信号ケーブルDi及び前記負信号ケーブルDiが接続ステートから切断ステートに切り替わったかどうかを検出するステップと、
前記正信号ケーブルDi及び前記負信号ケーブルDiが前記接続ステートから前記切断ステートに切り替わっている場合、前記充電デバイス内に、前記インバウンド充電インターフェースが前記アウトバウンド充電インターフェースに接続された自己ループが存在すると判定するステップと、
を実行するように前記プロセッサを制御するために使用されることを特徴とする充電デバイスのための自己ループ検出装置。
【請求項１２】
前記プロセッサは、
前記アウトバウンド充電インターフェースをアウトバウンド充電停止ステートに入るように制御する、又は
前記インバウンド充電インターフェースをインバウンド充電停止ステートに入るように制御する、又は
前記インバウンド充電インターフェースに流れる電流値が、前記充電デバイス内に前記自己ループが存在するときに存在する最大電流値よりも小さくなるように、前記電流値を制御する、
ようにさらに構成されていることを特徴とする請求項１１に記載の自己ループ検出装置。
【請求項１３】
前記プロセッサは、
プロンプトメッセージを出力する
ようにさらに構成され、
前記プロンプトメッセージは、前記充電デバイス内に前記自己ループが存在することをユーザにリマインドするために使用されることを特徴とする請求項１１に記載の自己ループ検出装置。
【請求項１４】
前記プロセッサは、
前記充電デバイスの前記自己ループが取り除かれたかどうかを判定し、
前記充電デバイスの前記自己ループが取り除かれていないと判定された場合、前記アウトバウンド充電インターフェースをアウトバウンド充電停止ステートに入るように制御するか、又は前記インバウンド充電インターフェースをインバウンド充電停止ステートに入るように制御するか、又は前記インバウンド充電インターフェースに流れる電流値が、前記充電デバイス内に前記自己ループが存在するときに存在する最大電流値よりも小さくなるように、前記電流値を制御する、
ようにさらに構成されていることを特徴とする請求項１３に記載の自己ループ検出装置。
【請求項１５】
前記プロセッサは、
接続ケーブルが前記アウトバウンド充電インターフェースから取り外されたかどうかを検出し、及び／又は接続ケーブルが前記インバウンド充電インターフェースから取り外されたかどうかを検出し、
接続ケーブルが前記アウトバウンド充電インターフェースから取り外された、及び又は接続ケーブルが前記インバウンド充電インターフェースから取り外された場合、前記充電デバイスの前記自己ループが取り除かれたと判定する
ようにさらに構成されていることを特徴とする請求項１４に記載の自己ループ検出装置。
【請求項１６】
コンピュータにより実行されると請求項１から５のいずれか一項の自己ループ検出方法をコンピュータに実施させる命令を具備したコンピュータ可読記憶媒体。
【発明の詳細な説明】
【技術分野】
【０００１】
本発明は、回路技術の分野に関連し、より詳しくは、充電デバイスのための自己ループ検出方法及び装置に関連する。
【背景技術】
【０００２】
モバイル電源は、タブレットコンピュータや携帯電話などのデバイスを充電できるため、広く使用されている。図１に示されているように、モバイル電源１は、大容量バッテリー１０、電源管理回路１１、インバウンド充電インターフェース１２、アウトバウンド充電インターフェース１３、などを含む。インバウンド充電インターフェース１２は、モバイル電源１を充電するために、外部充電器により使用される。アウトバウンド充電インターフェース１３は、外部デバイス（タブレットコンピュータや携帯電話など）を充電するために、モバイル電源１により使用される。モバイル電源は、好適には、ユーザが、モバイル電源を便利に使用できるように、インバウンド充電とアウトバウンド充電を同時に実行可能であることが望ましい。
【０００３】
図１に示されているように、いくつかのユーザは、インバウンド充電インターフェース１２をアウトバウンド充電インターフェース１３に直接接続可能である。結果として、電流ループ（この電流ループを以降、自己ループと称する）がモバイル電源１内に形成される。その結果、モバイル電源１の電気エネルギーは無駄に消費される。加えて、インバウンド充電インターフェース１２及びアウトバウンド充電インターフェース１３が過剰に長く接続されると、モバイル電源１の過熱によりモバイル電源１の内部回路が損傷され得る。モバイル電源１がインバウンド充電とアウトバウンド充電を同時に実施する場合において、現在、モバイル電源１内に自己ループが存在するかどうかは検出されていない。
【発明の概要】
【課題を解決するための手段】
【０００４】
本発明の実施形態は、前記充電デバイスがインバウンド充電とアウトバウンド充電を同時に実施する場合に、前記充電デバイス内に自己ループが存在するかどうかを検出するように、充電デバイスのための自己ループ検出方法及び装置を提供する。
【０００５】
前述の目的を達成するために、以下の技術的解決策が本発明の実施形態において使用される:
【０００６】
第１の態様によると、充電デバイスのための自己ループ検出方法が提供され、前記充電デバイスは、インバウンド充電インターフェースと、アウトバウンド充電インターフェースとを含み、前記インバウンド充電インターフェースは、正信号ケーブルDiと、負信号ケーブルDiとを含み、前記アウトバウンド充電インターフェースは、正信号ケーブルDoと、負信号ケーブルDoとを含み、前記インバウンド充電インターフェースは、インバウンド充電ステートにあり、前記アウトバウンド充電インターフェースは、アウトバウンド充電ステートにあり、前記方法は、
前記正信号ケーブルDo及び前記負信号ケーブルDoを接続ステートから切断ステートに切り替えるステップと、
前記正信号ケーブルDi及び前記負信号ケーブルDiが接続ステートから切断ステートに切り替わったかどうかを検出するステップと、肯定であれば、前記充電デバイス内に自己ループが存在すると判定するステップと、
を含む。
【０００７】
第１の態様に関連し、第１の可能な実装様式において、前記充電デバイス内に自己ループが存在すると判定する前記ステップの後に、前記方法は、
前記アウトバウンド充電インターフェースをアウトバウンド充電停止ステートに入るように制御するステップ、又は
前記インバウンド充電インターフェースをインバウンド充電停止ステートに入るように制御するステップ、又は
前記電流値が、前記充電デバイス内に前記自己ループが存在するときに存在する最大電流値よりも小さくなるように、前記インバウンド充電インターフェースに流れる電流値を制御するステップ
をさらに含む。
【０００８】
第１の態様に関連し、第２の可能な実装様式において、前記充電デバイス内に自己ループが存在すると判定する前記ステップの後に、前記方法は、
プロンプトメッセージを出力するステップであって、前記プロンプトメッセージは、前記充電デバイス内に前記自己ループが存在することをユーザにリマインドするために使用される、ステップをさらに含む。
【０００９】
第１の態様の第２の可能な実装様式に関連し、第３の可能な実装様式において、プロンプトメッセージを出力する前記ステップの後に、前記方法は、
前記充電デバイスの前記自己ループが取り除かれたかどうかを判定するステップと、
否定であれば、前記アウトバウンド充電インターフェースをアウトバウンド充電停止ステートに入るように制御するステップ、又は
否定であれば、前記インバウンド充電インターフェースをインバウンド充電停止ステートに入るように制御するステップ、又は
否定であれば、前記電流値が、前記充電デバイス内に前記自己ループが存在するときに存在する最大電流値よりも小さくなるように、前記インバウンド充電インターフェースに流れる電流値を制御するステップ
をさらに含む。
【００１０】
第１の態様の第３の可能な実装様式に関連し、第４の可能な実装様式において、前記充電デバイスの前記自己ループが取り除かれたかどうかを判定する前記ステップは、
接続ケーブルが前記アウトバウンド充電インターフェースから取り外されたかどうかを検出するステップ、及び／又は接続ケーブルが前記インバウンド充電インターフェースから取り外されたかどうかを検出するステップと、
前記接続ケーブルが取り外されたならば、前記充電デバイスの前記自己ループが取り除かれたと判定するステップと、
を含む。
【００１１】
第２の態様によると、充電デバイスのための自己ループ検出方法が提供され、前記充電デバイスは、インバウンド充電インターフェースと、アウトバウンド充電インターフェースとを含み、前記方法は、
前記アウトバウンド充電インターフェースをアウトバウンド充電ステートからアウトバウンド充電停止ステートへ切り替えるステップと、
前記インバウンド充電インターフェースがインバウンド充電ステートからインバウンド充電停止ステートに切り替わったかどうかを検出するステップと、肯定であれば、前記アウトバウンド充電インターフェースが前記アウトバウンド充電ステートにある場合に、前記充電デバイス内に自己ループが存在すると判定するステップと、
を含む。
【００１２】
第２の態様に関連し、第１の可能な実装様式において、前記アウトバウンド充電インターフェースが前記アウトバウンド充電ステートにある場合に、前記充電デバイス内に自己ループが存在すると判定する前記ステップの後に、前記方法は、
プロンプトメッセージを出力するステップであって、前記プロンプトメッセージは、前記アウトバウンド充電インターフェースが再び前記アウトバウンド充電ステートにある場合に、前記充電デバイス内に自己ループが存在することをユーザにリマインドするために使用される、ステップ、
をさらに含む。
【００１３】
第３の態様によると、充電デバイスのための自己ループ検出装置が提供され、前記充電デバイスは、インバウンド充電インターフェースと、アウトバウンド充電インターフェースとを含み、前記インバウンド充電インターフェースは、正信号ケーブルDiと、負信号ケーブルDiとを含み、前記アウトバウンド充電インターフェースは、正信号ケーブルDoと、負信号ケーブルDoとを含み、前記インバウンド充電インターフェースは、インバウンド充電ステートにあり、前記アウトバウンド充電インターフェースは、アウトバウンド充電ステートにあり、前記装置は、
前記正信号ケーブルDo及び前記負信号ケーブルDoを接続ステートから切断ステートに切り替えるように構成された切り替えユニットと、
前記正信号ケーブルDi及び前記負信号ケーブルDiが接続ステートから切断ステートに切り替わったかどうかを検出するように構成された検出ユニットと、
前記検出ユニットが、前記正信号ケーブルDi及び前記負信号ケーブルDiが前記接続ステートから前記切断ステートに切り替わったことを検出した場合、前記充電デバイス内に自己ループが存在すると判定するように構成された判定ユニットと、
を含む。
【００１４】
第３の態様に関連し、第１の可能な実装様式において、前記装置は、
前記アウトバウンド充電インターフェースをアウトバウンド充電停止ステートに入るように制御するか、又は
前記インバウンド充電インターフェースをインバウンド充電停止ステートに入るように制御するか、又は
前記電流値が、前記充電デバイス内に前記自己ループが存在するときに存在する最大電流値よりも小さくなるように、前記インバウンド充電インターフェースに流れる電流値を制御する、
ように構成された制御ユニットをさらに含む。
【００１５】
第３の態様に関連し、第２の可能な実装様式において、前記装置は、
プロンプトメッセージを出力するように構成された出力ユニットであって、前記プロンプトメッセージは、前記充電デバイス内に前記自己ループが存在することをユーザにリマインドするために使用される、出力ユニット
をさらに含む。
【００１６】
第３の態様の第２の可能な実装様式に関連し、第３の可能な実装様式において、前記判定ユニットは、前記充電デバイスの前記自己ループが取り除かれたかどうかを判定するようにさらに構成され、
前記制御ユニットは、前記判定ユニットが、前記充電デバイスの前記自己ループが取り除かれていないと判定した場合、前記アウトバウンド充電インターフェースをアウトバウンド充電停止ステートに入るように制御するか、又は前記インバウンド充電インターフェースをインバウンド充電停止ステートに入るように制御するか、又は前記電流値が、前記充電デバイス内に前記自己ループが存在するときに存在する最大電流値よりも小さくなるように、前記インバウンド充電インターフェースに流れる電流値を制御する、ようにさらに構成されている。
【００１７】
第３の態様の第３の可能な実装様式に関連し、第４の可能な実装様式において、前記検出ユニットは、接続ケーブルが前記アウトバウンド充電インターフェースから取り外されたかどうかを検出する、及び／又は接続ケーブルが前記インバウンド充電インターフェースから取り外されたかどうかを検出するようにさらに構成され、
前記判定ユニットは、前記検出ユニットが、接続ケーブルが前記アウトバウンド充電インターフェースから取り外されたこと、及び／又は接続ケーブルが前記インバウンド充電インターフェースから取り外されたことを検出した場合、前記充電デバイスの前記自己ループが取り除かれたと判定するようにさらに構成されている。
【００１８】
第４の態様によると、充電デバイスのための自己ループ検出装置が提供され、前記充電デバイスは、インバウンド充電インターフェースと、アウトバウンド充電インターフェースとを含み、前記装置は、
前記アウトバウンド充電インターフェースをアウトバウンド充電ステートからアウトバウンド充電停止ステートに切り替えるように構成された切り替えユニットと、
前記インバウンド充電インターフェースがインバウンド充電ステートからインバウンド充電停止ステートに切り替わったかどうかを検出するように構成された検出ユニットと、
前記検出ユニットが、前記インバウンド充電インターフェースがインバウンド充電ステートからインバウンド充電停止ステートに切り替わったことを検出した場合、前記アウトバウンド充電インターフェースが前記アウトバウンド充電ステートにある場合に、前記充電デバイス内に自己ループが存在すると判定するように構成された判定ユニットと、
を含む。
【００１９】
第４の態様に関連し、第１の可能な実装様式において、前記装置は、
プロンプトメッセージを出力するように構成された出力ユニットであって、前記プロンプトメッセージは、前記アウトバウンド充電インターフェースが再び前記アウトバウンド充電ステートにある場合に、前記充電デバイス内に自己ループが存在することをユーザにリマインドするために使用される、出力ユニットをさらに含む。
【００２０】
第５の態様によると、充電デバイスのための自己ループ検出装置が提供され、前記充電デバイスは、インバウンド充電インターフェースと、アウトバウンド充電インターフェースとを含み、前記インバウンド充電インターフェースは、正信号ケーブルDiと、負信号ケーブルDiとを含み、前記アウトバウンド充電インターフェースは、正信号ケーブルDoと、負信号ケーブルDoとを含み、前記インバウンド充電インターフェースは、インバウンド充電ステートにあり、前記アウトバウンド充電インターフェースは、アウトバウンド充電ステートにあり、前記装置は、メモリと、プロセッサとを含み、
前記メモリはコードのセットを格納するように構成され、前記コードは、以下の動作：
前記正信号ケーブルDo及び前記負信号ケーブルDoを接続ステートから切断ステートに切り替えるステップと、
前記正信号ケーブルDi及び前記負信号ケーブルDiが接続ステートから切断ステートに切り替わったかどうかを検出するステップと、
前記正信号ケーブルDi及び前記負信号ケーブルDiが前記接続ステートから前記切断ステートに切り替わったことを検出した場合、前記充電デバイス内に自己ループが存在すると判定するステップと、
を実行するように前記プロセッサを制御するために使用される。
【００２１】
第５の態様に関連し、第１の可能な実装様式において、前記プロセッサは、
前記アウトバウンド充電インターフェースをアウトバウンド充電停止ステートに入るように制御するか、又は
前記インバウンド充電インターフェースをインバウンド充電停止ステートに入るように制御するか、又は
前記電流値が、前記充電デバイス内に前記自己ループが存在するときに存在する最大電流値よりも小さくなるように、前記インバウンド充電インターフェースに流れる電流値を制御する、
ようにさらに構成される。
【００２２】
第５の態様に関連し、第２の可能な実装様式において、前記プロセッサは、
プロンプトメッセージを出力するようにさらに構成され、前記プロンプトメッセージは、前記充電デバイス内に前記自己ループが存在することをユーザにリマインドするために使用される。
【００２３】
第５の態様の第２の可能な実装様式に関連し、第３の可能な実装様式において、前記プロセッサは、
前記充電デバイスの前記自己ループが取り除かれたかどうかを判定し、
前記充電デバイスの前記自己ループが取り除かれていないと判定された場合、前記アウトバウンド充電インターフェースをアウトバウンド充電停止ステートに入るように制御するか、又は前記インバウンド充電インターフェースをインバウンド充電停止ステートに入るように制御するか、又は前記電流値が、前記充電デバイス内に前記自己ループが存在するときに存在する最大電流値よりも小さくなるように、前記インバウンド充電インターフェースに流れる電流値を制御する、
ようにさらに構成されている。
【００２４】
第５の態様の第３の可能な実装様式に関連し、第４の可能な実装様式において、前記プロセッサは、
接続ケーブルが前記アウトバウンド充電インターフェースから取り外されたかどうかを検出し、及び／又は接続ケーブルが前記インバウンド充電インターフェースから取り外されたかどうかを検出し、
接続ケーブルが前記アウトバウンド充電インターフェースから取り外されたことが検出された、及び／又は接続ケーブルが前記インバウンド充電インターフェースから取り外されたことが検出された場合に、前記充電デバイスの前記自己ループが取り除かれたと判定する
ようにさらに構成されている。
【００２５】
第６の態様によると、充電デバイスのための自己ループ検出装置が提供され、前記充電デバイスは、インバウンド充電インターフェースと、アウトバウンド充電インターフェースとを含み、前記装置は、メモリと、プロセッサとを含み、
前記メモリはコードのセットを格納するように構成され、前記コードは、以下の動作：
前記アウトバウンド充電インターフェースをアウトバウンド充電ステートからアウトバウンド充電停止ステートへ切り替えるステップと、
前記インバウンド充電インターフェースがインバウンド充電ステートからインバウンド充電停止ステートに切り替わったかどうかを検出するステップと、
前記インバウンド充電インターフェースがインバウンド充電ステートからインバウンド充電停止ステートに切り替わったことを検出した場合には、前記アウトバウンド充電インターフェースが前記アウトバウンド充電ステートにある場合に、前記充電デバイス内に自己ループが存在すると判定するステップと、
を実行するように前記プロセッサを制御するために使用される。
【００２６】
第６の態様に関連し、第１の可能な実装様式において、前記プロセッサは、
プロンプトメッセージを出力するようにさらに構成され、前記プロンプトメッセージは、前記アウトバウンド充電インターフェースが再び前記アウトバウンド充電ステートにある場合に、前記充電デバイス内に自己ループが存在することをユーザにリマインドするために使用される。
【００２７】
本発明の実施形態における充電デバイスのための前記自己ループ検出方法及び装置によれば、アウトバウンド充電インターフェースがアウトバウンド充電ステートにあり、インバウンド充電インターフェースがインバウンド充電ステートにあり、正信号ケーブルDiが負信号ケーブルDiに接続されている場合に、前記充電デバイス内に自己ループが存在するかどうかが検出される。前記充電デバイス内に前記自己ループが存在し、前記アウトバウンド充電インターフェースの正信号ケーブルDoと、前記アウトバウンド充電インターフェースの負信号ケーブルDoが接続ステートから切断ステートに切り替わった場合に、前記インバウンド充電インターフェースの前記正信号ケーブルDiと、前記インバウンド充電インターフェースの前記負信号ケーブルDiもまた接続ステートから切断ステートに切り替わる。したがって、この特徴により、前記充電デバイス内に前記自己ループが存在することが検出され得る。
【００２８】
本発明の実施形態における、または従来技術における技術的解決策をより明確に説明するために、以下に、それらの実施形態、または従来技術を説明するのに必要な添付の図面を簡単に概説する。明らかに、以下の説明における添付の図面は、本発明のいくつかの実施形態を示すに過ぎず、当業者は、創造的な取り組みなしに、添付の図面に従って他の図面をさらに得ることができる。
【図面の簡単な説明】
【００２９】
【図１】図１は、従来のモバイル電源の概略構成図である。
【図２】図２は、本発明の一実施形態による充電デバイスの自己ループ検出方法のフローチャートである。
【図３】図３は、本発明の一実施形態に係る充電デバイスの概略構成図である。
【図４】図４は、本発明の一実施形態による充電デバイスの別の自己ループ検出方法のフローチャートである。
【図５】図５は、本発明の一実施形態に係る充電デバイスのさらに別の自己ループ検出方法のフローチャートである。
【図６】図６は、本発明の一実施形態に係る充電デバイスの自己ループ検出装置の概略構成図である。
【図７】図７は、本発明の一実施形態による充電デバイスの別の自己ループ検出装置の概略構成図である。
【図８】図８は、本発明の一実施形態による充電デバイスの別の自己ループ検出装置の概略構成図である。
【図９】図９は、本発明の一実施形態による充電デバイスの別の自己ループ検出装置の概略構成図である。
【図１０】図１０は、本発明の一実施形態による充電デバイスの別の自己ループ検出装置の概略構成図である。
【図１１】図１１は、本発明の一実施形態による充電デバイスの別の自己ループ検出装置の概略構成図である。
【発明を実施するための形態】
【００３０】
以下では、本発明の実施形態における添付の図面を参照しながら、本発明の実施形態における技術的解決策をより明確にかつ完全に説明する。説明される実施形態は、本発明の実施形態のすべてではなく、単にいくつかの実施形態を示すものにすぎないことは明らかである。本発明の実施形態に基づき当業者が創造的な取り組み無しに得られる他のすべての実施形態は、本発明の保護範囲に含まれるものとする。
【００３１】
［実施形態１］
【００３２】
本発明のこの実施形態は、充電デバイスのための自己ループ検出方法を提供する。充電デバイスは、インバウンド充電インターフェースと、アウトバウンド充電インターフェースとを含む。インバウンド充電インターフェースは、正信号ケーブルDiと、負信号ケーブルDiとを含む。アウトバウンド充電インターフェースは、正信号ケーブルDoと、負信号ケーブルDoとを含む。インバウンド充電インターフェースは、インバウンド充電ステートにあり、アウトバウンド充電インターフェースは、アウトバウンド充電ステートにある。図２に示されているように、方法は以下のステップを含む。
【００３３】
２０１：正信号ケーブルDo及び負信号ケーブルDoを接続ステートから切断ステートに切り替える。
【００３４】
本発明のこの実施形態における充電デバイスは、外部デバイス（携帯電話やタブレットコンピュータなど）を充電し得、外部バッテリー充電器が充電デバイスを充電してもよいことに留意すべきである。具体的には、充電デバイスは、モバイル電源であっても、又は上記機能を備えた別のデバイスであってもよい。本発明のこの実施形態は、充電デバイスにより実行され得、又は上記方法を実施できる検出デバイスであり得る。これは、本発明のこの実施形態において限定されない。本発明のこの実施形態において提供される技術的解決策の例が説明され、本発明のこの実施形態が、例えば検出デバイスにより実行される。
【００３５】
図３に示されているように、充電デバイス３は、インバウンド充電インターフェース３１と、アウトバウンド充電インターフェース３２とを含む。インバウンド充電インターフェース３１と、アウトバウンド充電インターフェース３２の双方とも、正信号ケーブルD（「D+」とも表され得る）と、負信号ケーブルD（「D-」とも表され得る）を含む。本発明のこの実施形態において、説明の容易さと区別のために、インバウンド充電インターフェース３１の正信号ケーブルDは、正信号ケーブルDi（図３では、Di+で表される）として表され、インバウンド充電インターフェース３１の負信号ケーブルDは、負信号ケーブルDi（図３では、Di-で表される）として表される。アウトバウンド充電インターフェース３２の正信号ケーブルDは、正信号ケーブルDo（図３では、Do+で表される）として表され、アウトバウンド充電インターフェース３２の負信号ケーブルDは、負信号ケーブルDo（図３では、Do-で表される）として表される。
【００３６】
インバウンド充電インターフェース３１がアウトバウンド充電インターフェース３２に直接接続される場合には、インバウンド充電インターフェース３１と、アウトバウンド充電インターフェース３２はともに動作ステートにあり、充電デバイス３内に自己ループが存在する。
【００３７】
加えて、図３を参照すると、インバウンド充電インターフェース３１と、アウトバウンド充電インターフェース３２は、ともに電力ケーブル（図３では両方ともVとして表されている）とグランドケーブル（図３では両方ともGとして表されている）を含んでいる。通常、インバウンド充電インターフェース３１とアウトバウンド充電インターフェース３２は、同じグランドケーブルに接続されている。充電デバイス３は、大容量バッテリー、電源管理回路、など（図３には示されていない）をさらに含んでもよい。
【００３８】
ステップ２０１の具体的な実装時に、正信号ケーブルDoと、負信号ケーブルDoとの間にスイッチが配置されてもよい。検出デバイスは、このスイッチを使用することにより、正信号ケーブルDoと負信号ケーブルDoを互いに接続、又は切断するように制御し得る。
【００３９】
本発明のこの実施形態において、正信号ケーブルDoと、負信号ケーブルDoが接続ステートから切断ステートに切り替わった後、充電デバイスのアウトバウンド充電インターフェースは、依然としてアウトバウンド充電ステートにあり、すなわち、アウトバウンド充電インターフェースの電力ケーブルは、電力供給ステートにあることに留意すべきである。
【００４０】
２０２：正信号ケーブルDi及び負信号ケーブルDiが接続ステートから切断ステートに切り替わったかどうかを検出し、肯定であれば、充電デバイス内に自己ループが存在すると判定する。
【００４１】
外部充電器が充電デバイスを充電する場合、外部充電器を充電デバイスのインバウンド充電インターフェースと接続する接続ケーブルの２つの端部は、外部充電器とインバウンド充電インターフェースに対応する電力ケーブル、グランドケーブル、正信号ケーブルDs、及び負信号ケーブルDsを含むことに留意すべきである。外部充電器の正信号ケーブルDと負信号ケーブルDは、それぞれDn+とDn-とマークされている。外部充電器が標準的な充電器であり、外部充電器が充電デバイスを充電する場合、Dn+、Dn-、Di-、そしてDi+を通り最終的にDn+にもどるループを形成するように、Dn+は、Dn-に接続されており、Di+もまたDi-に接続されている。外部充電器が非標準的な充電器であり、外部充電器が充電デバイスを充電する場合、Dn+はDn-に接続されず、Di+もまたDi-に接続されない。したがって、充電デバイスは、Di-がDi+に接続されているかどうかを検出することにより、外部充電器が標準的な充電器かどうかを判定し得る。
【００４２】
同様に、充電デバイスが外部デバイスを充電する場合、外部デバイスも、上述の方法を使用して、充電デバイスが標準的な充電器であるかどうかを検出し得る。
【００４３】
外部充電器が充電デバイスを充電する場合、充電デバイスは、外部充電器が標準的な充電器であることが識別されたならば、充電デバイスに流れる電流の大きさを制限せず、外部充電器が非標準的な充電器であることが識別されたならば、充電デバイスは充電デバイスに流れる電流の大きさを制限することに留意すべきである。充電プロセスにおいて、充電デバイスは、充電が開始されたときのみ、外部充電器が標準的な充電器であるかどうかを識別する。充電デバイスが外部デバイスを充電する場合、これと同様の原理が適用される。
【００４４】
本発明のこの実施形態では、充電デバイスがアウトバウンド充電ステートにあれば、正信号ケーブルDoは、負信号ケーブルDoに接続されている。したがって、充電デバイス内に自己ループが存在するならば、正信号ケーブルDiは、負信号ケーブルDiに接続されている。正信号ケーブルDoと負信号ケーブルDoが接続ステートから切断ステートに切り替わった場合、正信号ケーブルDiと負信号ケーブルDiもまた接続ステートから切断ステートに切り替わる。したがって、充電デバイス内に自己ループが存在するかどうかは、この特徴に従って検出され得る。
【００４５】
以下では表（表１）を使用して、インバウンド充電インターフェースが異なるステートにある場合に、検出デバイスがステップ２０１を実行する前又は後に、正信号ケーブルDiと、負信号ケーブルDiとの間のステートの対応関係（ステートが接続であるか、又は切断）、電源デバイスに自己ループが存在するかどうか、正信号ケーブルDiと、負信号ケーブルDiが接続ステートから切断ステートに切り替わったかどうか（表中では「スイッチオーバが実行されるかどうか」）を明確に説明する。この表において、ステップ２０１の前の、正信号ケーブルDiと負信号ケーブルDiとの間のステートは、Aステートとして表され、ステップ２０１の後の、正信号ケーブルDiと負信号ケーブルDiとの間のステートは、Bステートとして表される。
【００４６】
【表１】
0006537085.tif 000002
【００４７】
表１から、アウトバウンド充電インターフェースがアウトバウンド充電ステートにある場合、検出デバイスは、正信号ケーブルDiと負信号ケーブルDiが接続ステートと切断ステートとの間で切り替わったかどうかを検出することにより、充電デバイス内に自己ループが存在するかどうかを判定し得ることが分かる。
【００４８】
表１から、アウトバウンド充電インターフェースがアウトバウンド充電ステートにある場合にのみ、インバウンド充電インターフェースは、インバウンド充電ステートにあるとともに、正信号ケーブルDiが、負信号ケーブルDiに接続されており、自己ループが充電デバイスに存在し得ることもわかる。本発明のこの実施形態において、正信号ケーブルDiが、負信号ケーブルDiに接続されていることを判定した後に、充電デバイス上で検出が実行され、これにより、検出デバイスの検出効率が改善される。
【００４９】
検出デバイスが充電デバイス内に自己ループが存在することを検出しなかった場合は、充電デバイスの正信号ケーブルDoと負信号ケーブルDoは、短絡ステートに戻され得ることに留意すべきである。
【００５０】
必要に応じて、ステップ２０２の後に、方法は、
アウトバウンド充電インターフェースをアウトバウンド充電停止ステートに入るように制御するステップ、又は
インバウンド充電インターフェースをインバウンド充電停止ステートに入るように制御するステップ、又は
電流値が、充電デバイス内に自己ループが存在するときに存在する最大電流値よりも小さくなるように、インバウンド充電インターフェースに流れる電流値を制御するステップ
をさらに含んでもよい。
【００５１】
検出デバイスがアウトバウンド充電インターフェースをアウトバウンド充電停止ステートに入るように制御するか、又はインバウンド充電インターフェースをインバウンド充電停止ステートに入るように制御する場合には、充電デバイス内に存在する自己ループは取り除かれることに留意すべきである。
【００５２】
検出デバイスがインバウンド充電インターフェースに流れる電流の値を制御する場合、自己ループは、依然として充電デバイス内に存在する。しかし、電流値は、充電デバイス内に自己ループが存在する場合に存在する最大電流値より小さいため、充電デバイス内に自己ループが存在するために生じる電気エネルギー消費は低減され得る。さらに、電流値が小さいほうがよりよい。これは、電流値が小さいほど、充電デバイス内に自己ループが存在するために生じる電気エネルギー消費が小さいことを示している。充電デバイスが、充電デバイスを充電する外部充電器（充電デバイス内に自己ループが存在する場合、充電デバイスは自分自身で充電する）が標準的な充電器であることをはじめに識別するため、充電デバイスに流れる電流の大きさは制限されないことに留意すべきである。充電デバイス内に自己ループが存在する場合、検出デバイスは、インバウンド充電インターフェースに流れる電流の大きさを制御する。
【００５３】
具体的には、検出デバイスが充電デバイス内に自己ループが存在することを検出した場合、検出デバイスは、充電デバイス内の電源管理回路に制御メッセージを出力し得る。インバウンド充電インターフェース又はアウトバウンド充電インターフェースのステートを制御するために、電源管理回路は制御メッセージに従って電源管理回路の内部回路を制御する。
【００５４】
必要に応じて、ステップ２０２の後に、方法は、プロンプトメッセージを出力するステップをさらに含んでもよい。プロンプトメッセージは、充電デバイス内に自己ループが存在することをユーザにリマインドするために使用される。
【００５５】
例えば、検出デバイスは、インジケータをオンまたはオフにすることで、又は画面上に数字／単語を表示することで、ユーザにリマインドし得る。検出デバイスが通信機能を有する場合には、検出デバイスは、ユーザの携帯電話などのデバイスにメッセージを送信することでユーザにリマインドし得る。これは本発明のこの実施形態において限定されない。加えて、ユーザが、充電デバイス内に自己ループが存在することを知っている場合、ユーザは、手動で自己ループを取り除いてもよい。具体的には、充電デバイスの自己ループは、充電デバイスのインバウンド充電インターフェース及び／又はアウトバウンド充電インターフェースから接続ケーブルを外すことにより取り除くことができる。
【００５６】
必要に応じて、プロンプトメッセージを出力するステップの後に、方法は、
充電デバイスの自己ループが取り除かれたかどうかを判定するステップと、
否定であれば、アウトバウンド充電インターフェースをアウトバウンド充電停止ステートに入るように制御するステップ、又は
否定であれば、インバウンド充電インターフェースをインバウンド充電停止ステートに入るように制御するステップ、又は
電流値が、充電デバイス内に自己ループが存在するときに存在する最大電流値よりも小さくなるように、否定であれば、インバウンド充電インターフェースに流れる電流値を制御するステップ
をさらに含んでもよい。
【００５７】
必要に応じて、充電デバイスの自己ループが取り除かれたかどうかを判定するステップは、接続ケーブルがアウトバウンド充電インターフェースから取り外されたかどうかを検出するステップ、及び／又は接続ケーブルがインバウンド充電インターフェースから取り外されたかどうかを検出するステップと、接続ケーブルが取り外されたならば、充電デバイスの自己ループが取り除かれたと判定するステップと、を含む。
【００５８】
例えば、検出デバイスは、インバウンド充電インターフェースの電力ケーブルの電圧がゼロかどうかを検出してもよく、インバウンド充電インターフェースの電力ケーブルの電圧がゼロであるならば、検出デバイスは、接続ケーブルがインバウンド充電インターフェースから取り外されたと判定する。
【００５９】
ユーザが、接続ケーブルを充電デバイスのアウトバウンド充電インターフェース又はインバウンド充電インターフェースから取り外した場合には、検出デバイスが、このケースを検出し得ることに留意すべきである。検出デバイスが、検出デバイスがプロンプトメッセージを出力した後の特定の時間内にこのケースを検出したならば、充電デバイスの自己ループが取り除かれたと判定され得る。検出デバイスが、検出デバイスがプロンプトメッセージを出力した後の特定の時間内にこのケースを検出しないならば、充電デバイスの自己ループは取り除かれていないと判定され得る。
【００６０】
本発明のこの実施形態において、アウトバウンド充電インターフェースがアウトバウンド充電停止ステートにある場合には、接続ケーブルは、アウトバウンド充電インターフェースから取り外されておらず、インバウンド充電インターフェースがインバウンド充電停止ステートにある場合には、接続ケーブルは、インバウンド充電インターフェースからも取り外されていないことに留意すべきである。
【００６１】
加えて、アウトバウンド充電インターフェースをアウトバウンド充電ステートに再びトリガする条件は、ユーザが手動で設定を行うか、又はアウトバウンド充電インターフェース上の接続ケーブルがアウトバウンド充電インターフェースに再び接続されるか、又はインバウンド充電インターフェース上の接続ケーブルがインバウンド充電インターフェースに再び接続されることであり得る。
【００６２】
本発明のこの実施形態において提供される充電デバイスのための自己ループ検出方法によると、アウトバウンド充電インターフェースがアウトバウンド充電ステートにあり、インバウンド充電インターフェースは、インバウンド充電ステートにあり、正信号ケーブルDiが負信号ケーブルDiに接続されている場合に、充電デバイス内に自己ループが存在するかどうかが検出される。充電デバイス内に自己ループが存在し、アウトバウンド充電インターフェースの正信号ケーブルDoと、アウトバウンド充電インターフェースの負信号ケーブルDoが接続ステートから切断ステートに切り替わる場合には、インバウンド充電インターフェースの正信号ケーブルDiと、インバウンド充電インターフェースの負信号ケーブルDiもまた接続ステートから切断ステートに切り替わる。したがって、この特徴に従って、充電デバイス内に自己ループが存在することが検出され得る。
【００６３】
［実施形態２］
【００６４】
この実施形態は、前述の実施形態において提供された充電デバイスのための自己ループ検出方法の具体的な実施形態である。この実施形態における関連説明については、前述の実施形態を参照されたい。図４に示されているように、充電デバイスのための自己ループ検出方法は、以下のステップを含む。
【００６５】
４０１：充電デバイスのアウトバウンド充電インターフェースは、アウトバウンド充電ステートにある。
【００６６】
このケースにおいて、アウトバウンド充電インターフェースの正信号ケーブルDoは、アウトバウンド充電インターフェースの負信号ケーブルDoに接続されている。具体的には、正信号ケーブルDoと負信号ケーブルDoの間にスイッチが配置されてもよい。検出デバイスは、このスイッチを使用することにより、正信号ケーブルDoと負信号ケーブルDoを互いに接続、又は切断するように制御し得る。
【００６７】
４０２：充電デバイスのインバウンド充電インターフェースがインバウンド充電ステートにあるかどうかを検出する。
【００６８】
肯定であれば、ステップ４０３を実行し、否定であれば、ステップ４０７を実行する。
【００６９】
具体的には、検出デバイスが、インバウンド充電インターフェースの電力ケーブル上に電圧があることを検出する場合、インバウンド充電インターフェースは、インバウンド充電ステートにあるとみなされる。
【００７０】
４０３：インバウンド充電インターフェースの正信号ケーブルDiがインバウンド充電インターフェースの負信号ケーブルDiに接続されているかどうかを検出する。
【００７１】
肯定であれば、ステップ４０４を実行し、否定であれば、ステップ４０７を実行する。
【００７２】
アウトバウンド充電インターフェースの正信号ケーブルDoがアウトバウンド充電インターフェースの負信号ケーブルDoに接続されているため、充電デバイス内に自己ループが存在する場合には、インバウンド充電インターフェースの正信号ケーブルDiは、インバウンド充電インターフェースの負信号ケーブルDiに接続されていることに留意すべきである。
【００７３】
この実施形態において、検出デバイスをトリガして充電デバイス内に自己ループが存在するかどうかを検出するための条件は、アウトバウンド充電インターフェースが、アウトバウンド充電ステートにあり、インバウンド充電インターフェースが、インバウンド充電ステートにあり、正信号ケーブルDiは、負信号ケーブルDiに接続されていることであることに留意すべきである。
【００７４】
４０４：アウトバウンド充電インターフェースの正信号ケーブルDoと、アウトバウンド充電インターフェースの負信号ケーブルDoを、接続ステートから切断ステートに切り替える。
【００７５】
４０５：インバウンド充電インターフェースの正信号ケーブルDiと、インバウンド充電インターフェースの負信号ケーブルDiが切断ステートに切り替わったかどうかを検出する。
【００７６】
肯定であれば、充電デバイス内に自己ループが存在すると判定され、ステップ４０６を実行する。否定であれば、ステップ４０７を実行する。
【００７７】
４０６：アウトバウンド充電インターフェースをアウトバウンド充電停止ステートに入るように制御する。
【００７８】
４０７：終了。
【００７９】
本発明のこの実施形態において提供される充電デバイスのための自己ループ検出方法によると、アウトバウンド充電インターフェースが、アウトバウンド充電ステートにあり、インバウンド充電インターフェースがインバウンド充電ステートにあり、正信号ケーブルDiが負信号ケーブルDiに接続されている場合に、充電デバイス内に自己ループが存在するかどうかが検出される。充電デバイス内に自己ループが存在し、アウトバウンド充電インターフェースの正信号ケーブルDoと、アウトバウンド充電インターフェースの負信号ケーブルDoが接続ステートから切断ステートに切り替わる場合には、インバウンド充電インターフェースの正信号ケーブルDiと、インバウンド充電インターフェースの負信号ケーブルDiもまた接続ステートから切断ステートに切り替わる。したがって、この特徴に従って、充電デバイス内に自己ループが存在することが検出され得る。
【００８０】
［実施形態３］
【００８１】
本発明のこの実施形態は、充電デバイスのための自己ループ検出方法を提供する。充電デバイスは、インバウンド充電インターフェースと、アウトバウンド充電インターフェースとを含む。図５に示されているように、方法は以下のステップを含む。
【００８２】
５０１：アウトバウンド充電インターフェースを、アウトバウンド充電ステートからアウトバウンド充電停止ステートに切り替える。
【００８３】
本発明のこの実施形態における関連説明は、前述の実施形態を参照されたい。
【００８４】
具体的には、充電デバイスのアウトバウンド充電インターフェースがアウトバウンド充電の実行を開始し、インバウンド充電インターフェースがインバウンド充電の実行を開始する場合、検出デバイスは、充電デバイス内に自己ループが存在するかどうかの検出を開始し得る。
【００８５】
５０２：インバウンド充電インターフェースがインバウンド充電ステートからインバウンド充電停止ステートに切り替わったかどうかを検出し、肯定であれば、アウトバウンド充電インターフェースがアウトバウンド充電ステートにある場合に、充電デバイス内に自己ループが存在すると判定する。
【００８６】
具体的には、充電デバイス内に自己ループが存在する場合、インバウンド充電インターフェースと、充電デバイスのアウトバウンド充電インターフェースは互いに接続されている。したがって、アウトバウンド充電インターフェースがアウトバウンド充電ステートからアウトバウンド充電停止ステートに切り替わった場合には、インバウンド充電インターフェースは、自然にインバウンド充電ステートからインバウンド充電停止ステートに切り替わる。したがって、充電デバイス内に自己ループが存在するかどうかが、この特徴に従って検出され得る。
【００８７】
具体的には、ステップ５０１の後、検出デバイスは、充電デバイスから自己ループが取り除かれた。しかし、インバウンド充電インターフェースと充電デバイスのアウトバウンド充電インターフェースとを接続する接続ケーブルは取り外されていない。したがって、次回、充電デバイスが開始されるときにも自己ループが依然として存在する。
【００８８】
必要に応じて、ステップ５０２の後、方法は、プロンプトメッセージを出力するステップをさらに含んでもよい。プロンプトメッセージは、アウトバウンド充電インターフェースが再びアウトバウンド充電ステートにある場合に、充電デバイス内に自己ループが存在することをユーザにリマインドするために使用される。
【００８９】
具体的には、プロンプトメッセージを見る場合には、ユーザは、次回に充電デバイスが開始されるときに充電デバイス内に自己ループが依然として存在することを避けるために、インバウンド充電インターフェース及び／又は充電デバイスのアウトバウンド充電インターフェースと接続されている接続ケーブルを取り外すことができる。
【００９０】
加えて、アウトバウンド充電インターフェースをアウトバウンド充電ステートに再びトリガする条件は、ユーザが手動で設定を行うか、又はアウトバウンド充電インターフェースの接続ケーブルがアウトバウンド充電インターフェースに再び接続されるか、又はインバウンド充電インターフェースの接続ケーブルがインバウンド充電インターフェースに再び接続されることである。
【００９１】
本発明のこの実施形態において提供される充電デバイスのための自己ループ検出方法によると、充電デバイス内に自己ループが存在する場合には、充電デバイスのインバウンド充電インターフェースとアウトバウンド充電インターフェースは互いに接続されている。したがって、アウトバウンド充電インターフェースが、アウトバウンド充電ステートからアウトバウンド充電停止ステートに切り替わる場合には、インバウンド充電インターフェースも自然に、インバウンド充電ステートからインバウンド充電停止ステートに切り替わる。したがって、検出デバイスは、この特徴に従って、充電デバイス内に自己ループが存在するかどうかを判定し得る。
【００９２】
［実施形態４］
【００９３】
本発明のこの実施形態は、図２に示されている充電デバイスのための自己ループ検出方法を実行する充電デバイスのための自己ループ検出装置６０を提供する。図６に示されているように、装置６０は、切り替えユニット６０１、検出ユニット６０２、及び判定ユニット６０３を含む。
【００９４】
切り替えユニット６０１は、正信号ケーブルDo及び負信号ケーブルDoを、接続ステートから切断ステートに切り替えるように構成されている。
【００９５】
検出ユニット６０２は、正信号ケーブルDi及び負信号ケーブルDiが接続ステートから切断ステートに切り替わったかどうかを検出するように構成されている。
【００９６】
判定ユニット６０３は、検出ユニット６０２が、正信号ケーブルDiと負信号ケーブルDiが接続ステートから切断ステートに切り替わったことを検出する場合に、充電デバイス内に自己ループが存在すると判定するように構成されている。
【００９７】
必要に応じて、図７に示されているように、装置６０は、アウトバウンド充電インターフェースをアウトバウンド充電停止ステートに入るように制御するか、又はインバウンド充電インターフェースをインバウンド充電停止ステートに入るように制御するか、又は電流値が、充電デバイス内に自己ループが存在するときに存在する最大電流値よりも小さくなるように、インバウンド充電インターフェースに流れる電流値を制御する、ように構成された制御ユニット６０４をさらに含む。
【００９８】
必要に応じて、図７に示されているように、装置６０は、プロンプトメッセージを出力するように構成された出力ユニット６０５をさらに含む。プロンプトメッセージは、充電デバイス内に自己ループが存在することをユーザにリマインドするために使用される。
【００９９】
必要に応じて、判定ユニット６０３は、充電デバイスの自己ループが取り除かれたかどうかを判定するようにさらに構成され、制御ユニット６０４は、判定ユニット６０３が充電デバイスの自己ループが取り除かれていないと判定する場合に、アウトバウンド充電インターフェースをアウトバウンド充電停止ステートに入るように制御するか、又はインバウンド充電インターフェースをインバウンド充電停止ステートに入るように制御するか、又は電流値が、充電デバイス内に自己ループが存在するときに存在する最大電流値よりも小さくなるように、インバウンド充電インターフェースに流れる電流値を制御する、ようにさらに構成されている。
【０１００】
必要に応じて、検出ユニット６０２は、接続ケーブルがアウトバウンド充電インターフェースから取り外されたかどうかを検出する、及び／又は接続ケーブルがインバウンド充電インターフェースから取り外されたかどうかを検出するようにさらに構成され、判定ユニット６０３は、検出ユニット６０２が、接続ケーブルがアウトバウンド充電インターフェースから取り外されたことを検出する、及び／又は接続ケーブルがインバウンド充電インターフェースから取り外されたことを検出する場合に、充電デバイスの自己ループが取り除かれたと判定するようにさらに構成されている。
【０１０１】
本発明のこの実施形態において提供される充電デバイスのための自己ループ検出装置によると、充電デバイスのアウトバウンド充電インターフェースがアウトバウンド充電ステートにあり、充電デバイスのインバウンド充電インターフェースがインバウンド充電ステートにあり、正信号ケーブルDiが負信号ケーブルDiに接続されている場合に、充電デバイス内に自己ループが存在するかどうかが検出される。充電デバイス内に自己ループが存在し、アウトバウンド充電インターフェースの正信号ケーブルDoと、アウトバウンド充電インターフェースの負信号ケーブルDoが接続ステートから切断ステートに切り替わった場合には、インバウンド充電インターフェースの正信号ケーブルDiと、インバウンド充電インターフェースの負信号ケーブルDiもまた接続ステートから切断ステートに切り替わる。したがって、この特徴に従って、充電デバイス内に自己ループが存在することが検出され得る。
【０１０２】
［実施形態５］
【０１０３】
ハードウェア実装において、実施形態４内のユニットは、充電デバイスのための自己ループ検出装置のプロセッサに、ハードウェア的に内蔵されてもよいし、独立していてもよく、又はプロセッサが呼び出して上述したユニットに対応する動作を実行できるように、充電デバイスのための自己ループ検出装置のメモリ内にソフトウェアの形状で格納されてもよい。プロセッサは、中央演算処理装置（略してCPU）、マイクロプロセッサ、シングルチップマイクロコンピュータなどであってもよい。
【０１０４】
図８に示されているように、図８は、図２に示されている充電デバイスのための自己ループ検出方法を実行する、本発明の実施形態による充電デバイスのための自己ループ検出装置８０を示している。装置８０は、メモリ８０１、プロセッサ８０２、及びバスシステム８０３を含む。
【０１０５】
メモリ８０１とプロセッサ８０２は、バスシステム８０３を使用することにより互いに結合されている。データバスに加えて、バスシステム８０３は、電源バス、制御バス、ステータス信号バスなどをさらに含み得る。しかし、説明を明確にするために、図中では、各種のバスはすべてバスシステム８０３としてマークされている。
【０１０６】
メモリ８０１は、コードのセットを格納するように構成され、このコードは、プロセッサ８０２を制御して以下の動作を実行させるようにするために使用される：
正信号ケーブルDo及び負信号ケーブルDoを接続ステートから切断ステートに切り替えるステップと、
正信号ケーブルDi及び負信号ケーブルDiが接続ステートから切断ステートに切り替わったかどうかを検出するステップと、
正信号ケーブルDi及び負信号ケーブルDiが接続ステートから切断ステートに切り替わったことを検出した場合に、充電デバイス内に自己ループが存在すると判定するステップ。
【０１０７】
必要に応じて、プロセッサ８０２は、
アウトバウンド充電インターフェースをアウトバウンド充電停止ステートに入るように制御するか、又はインバウンド充電インターフェースをインバウンド充電停止ステートに入るように制御するか、又は電流値が、充電デバイス内に自己ループが存在するときに存在する最大電流値よりも小さくなるように、インバウンド充電インターフェースに流れる電流値を制御する、ようにさらに構成されている。
【０１０８】
必要に応じて、プロセッサ８０２は、プロンプトメッセージを出力するようにさらに構成されている。プロンプトメッセージは、充電デバイス内に自己ループが存在することをユーザにリマインドするために使用される。
【０１０９】
必要に応じて、プロセッサ８０２は、充電デバイスの自己ループが取り除かれたかどうかを判定するようにさらに構成され、充電デバイスの自己ループが取り除かれていないと判定された場合、アウトバウンド充電インターフェースをアウトバウンド充電停止ステートに入るように制御するか、又はインバウンド充電インターフェースをインバウンド充電停止ステートに入るように制御するか、又は電流値が、充電デバイス内に自己ループが存在するときに存在する最大電流値よりも小さくなるように、インバウンド充電インターフェースに流れる電流値を制御する。
【０１１０】
必要に応じて、プロセッサ８０２は、接続ケーブルがアウトバウンド充電インターフェースから取り外されたかどうかを検出し、及び／又は接続ケーブルがインバウンド充電インターフェースから取り外されたかどうかを検出し、
接続ケーブルがアウトバウンド充電インターフェースから取り外されたことを検出した場合、及び／又は接続ケーブルがインバウンド充電インターフェースから取り外されたことを検出した場合、充電デバイスの自己ループが取り除かれたと判定する
ようにさらに構成されている。
【０１１１】
本発明のこの実施形態において提供される充電デバイスのための自己ループ検出装置によると、充電デバイスのアウトバウンド充電インターフェースがアウトバウンド充電ステートにあり、充電デバイスのインバウンド充電インターフェースがインバウンド充電ステートにあり、正信号ケーブルDiが負信号ケーブルDiに接続されている場合に、充電デバイス内に自己ループが存在するかどうかが検出される。充電デバイス内に自己ループが存在し、アウトバウンド充電インターフェースの正信号ケーブルDoと、アウトバウンド充電インターフェースの負信号ケーブルDoが接続ステートから切断ステートに切り替わった場合には、インバウンド充電インターフェースの正信号ケーブルDiと、インバウンド充電インターフェースの負信号ケーブルDiもまた接続ステートから切断ステートに切り替わる。したがって、この特徴に従って、充電デバイス内に自己ループが存在することが検出され得る。
【０１１２】
［実施形態６］
【０１１３】
本発明のこの実施形態は、図５に示されている充電デバイスのための自己ループ検出方法を実行する充電デバイスのための自己ループ検出装置９０を提供する。図９に示されているように、装置９０は、切り替えユニット９０１、検出ユニット９０２、及び判定ユニット９０３を含む。
【０１１４】
切り替えユニット９０１は、アウトバウンド充電インターフェースをアウトバウンド充電ステートからアウトバウンド充電停止ステートに切り替えるように構成されている。
【０１１５】
検出ユニット９０２は、インバウンド充電インターフェースがインバウンド充電ステートからインバウンド充電停止ステートに切り替わったかどうかを検出するように構成されている。
【０１１６】
判定ユニット９０３は、検出ユニット９０２が、インバウンド充電インターフェースがインバウンド充電ステートからインバウンド充電停止ステートに切り替わったことを検出する場合に、アウトバウンド充電インターフェースがアウトバウンド充電ステートにある場合に、充電デバイス内に自己ループが存在すると判定するように構成されている。
【０１１７】
必要に応じて、図１０に示されているように、装置９０は、
プロンプトメッセージを出力するように構成された出力ユニット９０４であって、プロンプトメッセージは、アウトバウンド充電インターフェースが再びアウトバウンド充電ステートにある場合に、充電デバイス内に自己ループが存在することをユーザにリマインドするために使用される、出力ユニット９０４をさらに含む。
【０１１８】
本発明のこの実施形態において提供される充電デバイスのための自己ループ検出装置によると、充電デバイス内に自己ループが存在する場合には、充電デバイスのインバウンド充電インターフェースとアウトバウンド充電インターフェースが互いに接続されている。したがって、アウトバウンド充電インターフェースがアウトバウンド充電ステートからアウトバウンド充電停止ステートに切り替わる場合には、インバウンド充電インターフェースも自然にインバウンド充電ステートからインバウンド充電停止ステートに切り替わる。したがって、検出装置は、この特徴に従って、充電デバイス内に自己ループが存在するかどうかを判定し得る。
【０１１９】
［実施形態７］
【０１２０】
ハードウェア実装において、実施形態６内のユニットは、充電デバイスのための自己ループ検出装置のプロセッサに、ハードウェア的に内蔵されてもよいし、独立していてもよく、又はプロセッサが呼び出して上述したユニットに対応する動作を実行できるように、充電デバイスのための自己ループ検出装置のメモリ内にソフトウェアの形状で格納されてもよい。プロセッサは、中央演算処理装置（略してCPU）、マイクロプロセッサ、シングルチップマイクロコンピュータなどであってもよい。
【０１２１】
図１１に示されているように、図１１は、図５に示されている充電デバイスのための自己ループ検出方法を実行する、本発明の実施形態による充電デバイスのための自己ループ検出装置１１０を示している。装置１１０は、メモリ１１０１、プロセッサ１１０２、及びバスシステム１１０３を含む。
【０１２２】
メモリ１１０１とプロセッサ１１０２は、バスシステム１１０３を使用して互いに結合されている。データバスに加えて、バスシステム１１０３は、電源バス、制御バス、ステータス信号バスなどをさらに含み得る。しかし、説明を明確にするために、図中では、各種のバスはすべてバスシステム１１０３としてマークされている。
【０１２３】
メモリ１１０１は、コードのセットを格納するように構成され、このコードは、プロセッサ１１０２を制御して以下の動作を実行させるようにするために使用される：
アウトバウンド充電インターフェースをアウトバウンド充電ステートからアウトバウンド充電停止ステートへ切り替えるステップと、
インバウンド充電インターフェースがインバウンド充電ステートからインバウンド充電停止ステートに切り替わったかどうかを検出するステップと、
インバウンド充電インターフェースがインバウンド充電ステートからインバウンド充電停止ステートに切り替わったことを検出する場合に、アウトバウンド充電インターフェースがアウトバウンド充電ステートにある場合に、充電デバイス内に自己ループが存在すると判定するステップ。
【０１２４】
必要に応じて、プロセッサ１１０２は、プロンプトメッセージを出力するようにさらに構成されている。プロンプトメッセージは、アウトバウンド充電インターフェースが再びアウトバウンド充電ステートにある場合に、充電デバイス内に自己ループが存在することをユーザにリマインドするために使用される。
【０１２５】
本発明のこの実施形態において提供される充電デバイスのための自己ループ検出装置によると、充電デバイス内に自己ループが存在する場合には、充電デバイスのインバウンド充電インターフェースとアウトバウンド充電インターフェースは互いに接続されている。したがって、アウトバウンド充電インターフェースがアウトバウンド充電ステートからアウトバウンド充電停止ステートに切り替わる場合には、インバウンド充電インターフェースも自然にインバウンド充電ステートからインバウンド充電停止ステートに切り替わる。したがって、検出装置は、この特徴に従って、充電デバイス内に自己ループが存在するかどうかを判定し得る。
【０１２６】
本明細書において提供されるいくつかの実施形態において、開示された装置及び方法は、他の様式により実施され得ることを理解すべきである。例えば、説明された装置の実施形態は、単なる一例に過ぎない。例えば、ユニット分割は単に論理的な機能分割であり、実際の実装において他の分割であってもよい。例えば、複数のユニット又は構成要素を別のシステムに組み合わせて、又は統合してもよく、一部の機能を無視してもよく、実行しなくてもよい。
【０１２７】
加えて、本発明の実施形態における機能ユニットは、１つの処理ユニットに統合されてもよく、またはユニットの各々が、物理的に単独で存在してよく、または２つ以上のユニットが１つのユニットに統合されてもよい。統合されたユニットは、ハードウェアの形状形式で実装されても、ソフトウェア機能ユニットを加えたハードウェアの形状で実装されてもよい。
【０１２８】
先述の統合ユニットがソフトウェア機能ユニットの形態で実装される場合には、統合ユニットは、コンピュータ可読記憶媒体に格納されてもよい。ソフトウェア機能ユニットは、記憶媒体に格納され、コンピュータデバイス（パーソナルコンピュータ、サーバ、又はネットワークデバイスであってもよい）に、本発明の実施形態に記載の方法のステップのいくつかを実行するように指示するためのいくつかの命令を含む。上記記憶媒体は、ＵＳＢフラッシュドライブ、リムーバブル・ハードディスク、読み出し専用メモリ（英語：Read-Only Memory、略してROM）、ランダムアクセスメモリ（英語：Random Access Memory、略してRAM）、磁気ディスク、又は光学ディスクなどのプログラムコードを格納することができる任意の媒体を含む。
【０１２９】
最後に、前述の実施形態が、単に、本発明の技術的解決策を説明するためのものであって、本発明を限定するためのものではないことに留意されたい。本発明が、前述の実施形態を参照して詳細に説明されたが、当業者は、本発明の実施形態の技術的解決策の範囲から逸脱せずに、彼らが前述の実施形態において説明された技術的解決策に対する変更を行い、あるいは、技術的解決策のいくつかのまたはすべての技術的特徴に対する同等の置換を行うことができることを理解するに違いない。
【符号の説明】
【０１３０】
１    モバイル電源
１０  大容量バッテリー
１１  電源管理回路
１２  インバウンド充電インターフェース
１３  アウトバウンド充電インターフェース
３    充電デバイス
３１  インバウンド充電インターフェース
３２  アウトバウンド充電インターフェース
６０１  切り替えユニット
６０２  検出ユニット
６０３  判定ユニット
６０１  切り替えユニット
６０２  検出ユニット
６０３  判定ユニット
６０４  制御ユニット
６０５  出力ユニット
８０１  メモリ
８０２  プロセッサ
８０３  バスシステム
９０１  切り替えユニット
９０２  検出ユニット
９０３  判定ユニット
９０１  切り替えユニット
９０２  検出ユニット
９０３  判定ユニット
９０４  出力ユニット
１１０１  メモリ
１１０２  プロセッサ
１１０３  バスシステム
【図１】
0006537085.tif 000003
【図２】
0006537085.tif 000004
【図３】
0006537085.tif 000005
【図４】
0006537085.tif 000006
【図５】
0006537085.tif 000007
【図６】
0006537085.tif 000008
【図７】
0006537085.tif 000009
【図８】
0006537085.tif 000010
【図９】
0006537085.tif 000011
【図１０】
0006537085.tif 000012
【図１１】
0006537085.tif 000013